(57)【要約】【課題】  水道水圧を利用して、安全に安心して、火災に備えるべき扉の開閉装置を提供する。【解決手段】扉８を開閉する装置として、水道水圧を使用するシリンダーピストン１及び水道水の流れを切り替える切替バルブ２で構成される。切替バルブはシリンダーピストンの位置に関係なく操作したい場所でよい。【選択図】  図１
2005336980.tif 000002
【特許請求の範囲】
【請求項１】
防火扉や一般扉の開閉駆動源に水道水圧シリンダーを使用した扉開閉用駆動装置。
【発明の詳細な説明】
【技術分野】
【０００１】  本発明は水道水圧を利用したシリンダーを備えて防火扉や一般扉の開閉を動力化するものである。
また、本発明は火災時の安全を前提としている。したがって、油圧式や電気を利用しない構造にしたものである。
【背景技術】
【０００２】  防火扉や一般扉の開閉は、人の手によってなされるもの以外では電動による扉の開閉が一般的である。また、自動防火扉に於いてはシャッター式を用いる場合が多いのが現状である。
【発明の開示】
【発明が解決するための手段】
【０００３】  上記従来の扉やシャッターは電気を動力としており、火災時では停電と重なるケースが多く、閉鎖が完了できず、ビル等に於いては階上、階下への延焼被害が防げなかった。
本発明は、上記に示す問題点を解決した防火扉および一般扉の開閉駆動装置を提供しようとするものである。
【課題を解決するための手段】
【０００４】  本発明は、上記の目的を達成するために、シリンダーを備え付けて、扉の開閉を駆動する構造のものである。このシリンダーは作動源として水および水道水を利用しているために、本発明を構成する部分が火災を広げる恐れは全くないといえる。むしろ、火災が広がって配管ホースが焼けた場合には、ホースは破れて放水することとなり消火的役割も期待できる。
このとき、通常の扉はラッチが取り付けてあり、扉は閉じて保持されており、ホースが断裂しても扉が勝手に開いて延焼となることはないよう構成されている。
【０００５】  上記のように，請求項１に記載の説明は、本発明の前記目的を達成するために、水道水圧を使用したシリンダーを扉の開閉駆動に利用するものである。
【発明の効果】
【０００６】  以上のように、本発明によると、電動式の場合のように停電による影響を受けないことが最大の効果である。
火災の原因は漏電など電気系統の異常から発生する事もしばしばある為に、補助電源装置を動かしても目的の場所すべてに通電できないのが実情であるし、スプリンクラーが作動始めると、床用コンセントなどでのショートを防ぐために電気を遮断するのが通例である。したがって、水道水を利用した扉の開閉装置は他の扉開閉装置と比べ火災時に最も効果を発揮する。
【発明を実施するための最良の形態】
【０００７】  以下図１により、本発明の実施の形態を説明する。
本発明は、シリンダーピストン１によって開閉の駆動をする装置である、水道水の圧力によってシリンダーピストンは前進できる。また、周知の切替バルブ２を切り替えることによって後退できる。つまり、シリンダーの前進動作と後退動作を利用して扉３を開閉するように構成したものである。
扉３の適所に、シリンダーピストンの一端がピン４で連結されている。また、反対側は、扉枠など固定側にピン５で連結されており、スムースな開閉動作が可能な構造にしてある。
【図面の簡単な説明】
【０００８】
【番号の説明】
１      シリンダーピストン
２      切替バルブ
３      扉
４      ピン
５      ピン
６      水道ホース
【図１】
2005336980.tif 000003
【手続補正書】
【提出日】平成16年8月25日(2004.8.25)
【手続補正２】
【補正対象書類名】明細書
【補正対象項目名】０００８
【補正方法】変更
【補正の内容】
【０００８】
【図１】
シリンダーピストン１によって開閉の動作をする装置である。水道水の圧力によってシリンダーピストンは前進できる。また，周知の切替バルブ２を切り替えることによって後退できる。つまり、シリンダーの前進動作と後退動作を利用して扉３を開閉するように構成したものである。
扉３の適所に、シリンダーピストンの一端がピン４で連結されている。また、反対側は、扉枠など固定側にピン５で連結されており、スムースな開閉動作が可能な構造にしてある。蛇口より水道ホース６にて切替バルブに水道水を供給して、扉３の開閉動作をさせるものである。
【０００９】
【番号の説明】
１    シリンダーピストン
２    切替バルブ
３    扉
４    ピン
５    ピン
６    水道ホース
【手続補正書】
【提出日】平成16年12月3日(2004.12.3)
【手続補正１】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【発明の詳細な説明】
【技術分野】
【０００１】  本発明は水道水圧を利用したシリンダーを備えて防火扉や一般扉の開閉を自するものである。
また、本発明は火災時の安全を前提としている。したがって、油圧式や電気を利用しない構造にしたものである。
【背景技術】
【０００２】  防火扉や一般扉の開閉は、人の手によってなされるもの以外では電動による扉の開閉が一般的である。また、自動防火扉に於いてはシャッター式を用いる場合が多いのが現状である。
【発明の開示】
【発明が解決するための手段】
【０００３】  上記従来の扉やシャッターは電気を動力としており、火災時では停電と重なるケースが多く、閉鎖が完了できず、ビル等に於いては階上、階下への延焼被害が防げなかった。
本発明は、上記に示す問題点を解決した防火扉および一般扉の開閉駆動装置を提供しようとするものである。
【課題を解決するための手段】
【０００４】  本発明は、上記の目的を達成するために、シリンダーを備え付けて、扉の開閉を駆動する構造のものである。このシリンダーは作動源として水および水道水を利用しているために、本発明を構成する部分が火災を広げる恐れは全くないといえる。むしろ、火災が広がって配管ホースが焼けた場合には、ホースは破れて放水することになり消化的役割も期待できる。
このとき、通常の扉はラッチが取り付けてあり、扉は閉じて保持されており、ホースが断裂しても扉が勝手に開いて延焼となることはないよう構成されている。
【０００５】  上記のように、請求項１に記載の説明は、本発明の前記目的を達成するために、水道水圧を利用したシリンダーを扉の開閉駆動に利用するものである。
【発明の効果】
【０００６】  以上のように、本発明によると、電動式の場合のように停電による影響を受けないことが最大の効果である。
火災の原因は漏電など電気系統の異常から発生する事もしばしばある為に、補助電源装置を動かしても目的の場所すべてに通電できないのが実情であるし、スプリンクラーが作動始めると、床用コンセントなどでのショートを防ぐために電気を遮断するのが通例である。したがって、水道水を利用した扉の開閉装置は他の扉開閉装置と比べ火災時に最も効果を発揮する。
【発明を実施するための最良の形態】
【０００７】  以下図１により、本発明の実施の形態を説明する。
本発明は、シリンダーピストン１によって開閉の動作をする装置である、水道水の圧力によってシリンダーピストンは前進できる。また、周知の切替バルブ２を切り替えることによって後退できる。つまり、シリンダーの前進動作と後退動作を利用して扉３を開閉するように構成したものである。
扉３の適所に、シリンダーピストンの一端がピン４で連結されている。また、反対側は、扉枠など固定側にピン５で連結されており、スムースな開閉動作が可能な構造にしてある。
【図面の簡単な説明】
【０００８】  シリンダーピストン１によって開閉の動作をする装置である。水道水の圧力によってシリンダーピストンは前進できる。また，周知の切替バルブ２を切り替えることによって後退できる。つまり、シリンダーの前進動作と後退動作を利用して扉３を開閉するように構成したものである。
扉３の適所に、シリンダーピストンの一端がピン４で連結されている。また、反対側は、扉枠など固定側にピン５で連結されており、スムースな開閉動作が可能な構造にしてある。蛇口より水道ホース６にて切替バルブに水道水を供給して、扉３の開閉動作をさせるものである。【０００９】
【番号の説明】
１  シリンダーピスト
２  切替バルブ
３  扉
４  ピン
５  ピン
６  水道ホース